(57)【要約】【課題】タッチ操作により表示アイテムの移動操作を受け付ける波形表示装置において、表示アイテムの移動位置の微調整を容易にする。【解決手段】波形を含んだ表示アイテムを移動可能に表示する表示制御部と、タッチ操作により、特定の表示アイテムについて表示位置の移動操作を受け付ける操作受付部と、を備え、表示制御部は、移動操作終了後に、移動操作に係る表示アイテムについての、その移動方向に関する微調整移動指示を受け付けるための微移動アイコン表示を行ない、操作受付部を介して、微移動アイコンに対する操作を受け付けると、移動操作に係る表示アイテムの微移動表示を行なう波形表示装置。【選択図】図１
2018205172.tif 000002
【特許請求の範囲】
【請求項１】
波形を含んだ表示アイテムを移動可能に表示する表示制御部と、
タッチ操作により、特定の表示アイテムについて表示位置の移動操作を受け付ける操作受付部と、を備え、
前記表示制御部は、前記移動操作終了後に、前記移動操作に係る表示アイテムについての、その移動方向に関する微調整移動指示を受け付けるための微移動アイコン表示を行ない、
前記操作受付部を介して、前記微移動アイコンに対する操作を受け付けると、前記移動操作に係る表示アイテムの微移動表示を行なうことを特徴とする波形表示装置。
【請求項２】
前記表示アイテムは、拡大表示された波形を含むことを特徴とする請求項１に記載の波形表示装置。
【請求項３】
前記表示アイテムは、時間軸上を移動するカーソルあるいは測定値軸上を移動するカーソルを含むことを特徴とする請求項１または２に記載の波形表示装置。
【請求項４】
前記表示制御部は、前記微移動アイコン表示の後、前記微移動アイコンに対する操作以外の操作を受け付けた場合、あるいは、所定時間操作を受け付けなかった場合には、前記微移動アイコンの表示を終了することを特徴とする請求項１〜３のいずれか１項に記載の波形表示装置。
【発明の詳細な説明】
【技術分野】
【０００１】
本発明は、波形表示装置に関し、特に、波形等の表示アイテムの表示位置を微調整するための操作インタフェースに関する。
【背景技術】
【０００２】
波形表示装置では、外部から入力されたアナログ信号を所定のサンプル時間毎にデジタル変換し、波形メモリに波形データとして保存する。波形メモリに保存された波形データは、液晶パネル等の表示装置で波形表示される。波形を表示する波形表示エリアは、一般に、横軸が時間を表し、縦軸がデータ値を表している。
【０００３】
特許文献１には、波形データの観察、解析を容易にするために、図７に示すように、波形表示エリア５００のメイン波形表示エリア５１０に波形の全体像を表示するとともに、ズームボックス５１２を配置し、ズームボックス５１２内の波形部分をズーム波形表示エリア５２０に拡大表示することが記載されている。ズームボックス５１２は時間軸上を任意に移動させることができ、ズームボックス５１２の移動に連動して、ズーム波形表示エリア５２０に表示される波形領域も移動する。
【先行技術文献】
【特許文献】
【０００４】
【特許文献１】特開２０１１−１７４８０１号公報
【発明の概要】
【発明が解決しようとする課題】
【０００５】
近年、タッチパネル式の表示装置が広く普及し、タッチパネル式の表示装置を備えた波形表示装置も実用化されている。ここで、上述のズームボックス５１２とズーム波形表示エリア５２０を表示する波形表示装置にタッチパネル式の表示装置を適用した場合を想定する。
【０００６】
ズーム波形表示エリア５２０に表示されている拡大波形の時間軸方向の移動操作をタッチ操作で行なう場合には、ズーム波形表示エリア５２０自体、あるいは、ズームボックス５１２をタッチし、タッチした状態で左右に所望の位置までドラッグする操作が考えられる。
【０００７】
ところが、このようなドラッグ操作では、ある程度の移動量が最小単位となるため、拡大波形を少しだけ移動させたい場合の微調整が困難となる。特に、波形を構成するデータ点数が多い場合に、測定点単位で波形を微移動させようとすると、ドラッグ操作では移動量が大きくなりすぎてしまう。
【０００８】
別途、拡大波形の微移動のための操作メニューを用意することも考えられるが、微調整のたびに、操作メニューを呼び出すことはユーザにとって煩わしい作業となる。このような移動位置の微調整が困難であるという問題は、拡大波形のみならず、メイン波形、カーソル等の波形表示装置における移動可能な表示アイテム全般に当てはまる。
【０００９】
そこで、本発明は、タッチ操作により表示アイテムの移動操作を受け付ける波形表示装置において、表示アイテムの移動位置の微調整を容易にすることを目的とする。
【課題を解決するための手段】
【００１０】
上記課題を解決するため、本発明の一態様である表示装置は、波形を含んだ表示アイテムを移動可能に表示する表示制御部と、タッチ操作により、特定の表示アイテムについて表示位置の移動操作を受け付ける操作受付部と、を備え、前記表示制御部は、前記移動操作終了後に、前記移動操作に係る表示アイテムについての、その移動方向に関する微調整移動指示を受け付けるための微移動アイコン表示を行ない、前記操作受付部を介して、前記微移動アイコンに対する操作を受け付けると、前記移動操作に係る表示アイテムの微移動表示を行なうことを特徴とする。
ここで、前記表示アイテムは、拡大表示された波形を含むことができる。
また、前記表示アイテムは、時間軸上を移動するカーソルあるいは測定値軸上を移動するカーソルを含むことができる。
また、前記表示制御部は、前記微移動アイコン表示の後、前記微移動アイコンに対する操作以外の操作を受け付けた場合、あるいは、所定時間操作を受け付けなかった場合には、前記微移動アイコンの表示を終了することができる。
【発明の効果】
【００１１】
本発明によれば、タッチ操作により表示アイテムの移動操作を受け付ける波形表示装置において、表示アイテムの移動位置の微調整を容易にすることができる。
【図面の簡単な説明】
【００１２】
【図１】本実施形態に係る波形表示装置の構成を示すブロック図である。
【図２】本実施形態の波形表示装置の表示アイテム移動動作を説明するフローチャートである。
【図３】ズームボックスあるいはズーム波形表示エリアが時間軸方向にドラッグされた場合の動作を説明する図である。
【図４】波形の縦軸方向の微移動を説明する図である。
【図５】カーソルの時間軸方向の微移動を説明する図である。
【図６】カーソルの縦軸方向の微移動を説明する図である。
【図７】従来の波形表示装置の波形表示エリアを説明する図である。
【発明を実施するための形態】
【００１３】
本発明の実施の形態について図面を参照して説明する。図１は、本実施形態に係る波形表示装置１００の構成を示すブロック図である。本図に示すように、波形表示装置１００は、データ入力部１１０、波形メモリ１２０、制御部１３０、タッチパネル１４０を備えている。
【００１４】
タッチパネル１４０は、液晶パネル等の表示部１４１と、ユーザからのタッチ操作等を受け付ける操作受付部１４２を備えている。タッチ操作は、ユーザの操作内容等に応じて、タップ操作、ドラッグ操作、ピンチイン操作、ピンチアウト操作等に識別される。
【００１５】
データ入力部１１０は、外部から入力されたアナログ入力信号を所定のサンプル時間毎にデジタル変換し、波形メモリ１２０に波形データとして保存する。波形メモリ１２０に保存された波形データは、制御部１３０の表示制御部１３１で読み出され、タッチパネル１４０の表示部１４１に表示される。制御部１３０は、ＣＰＵ、ＲＡＭ、ＲＯＭ等で構成することができる。
【００１６】
表示制御部１３１は、波形の表示の際に、カーソルを表示したり、拡大波形等を表示することができる。表示部１４１に表示された波形（拡大波形を含む）やカーソルは、ユーザのタッチ操作に基づいて移動可能である。これらの移動可能な表示対象物を表示アイテムと称する。
【００１７】
図２は、本実施形態の波形表示装置１００の表示アイテム移動動作を説明するフローチャートである。まずは、波形の拡大表示を行なっている場合に、ズームボックスあるいはズーム波形表示エリアに対する移動操作を受け付ける場合を例に説明する。
【００１８】
なお、ユーザのタッチ操作の直接的な対象である表示アイテムが移動対象となるものとする。例えば、波形が表示されている領域をドラッグした場合は、波形が移動対象になり、ズームボックスをドラッグした場合はズームボックスが移動対象になる。この場合は、拡大波形も連動して移動対象となる。また、波形が表示されている領域であっても、カーソル部分をピンポイントでドラッグした場合には、カーソルが移動対象になる。
【００１９】
操作受付部１４２が、ユーザからドラッグ操作を受け付けると（Ｓ１０１：Ｙｅｓ）、表示制御部１３１が、操作対象となった表示アイテムについて、操作移動量に応じた移動表示を行なう（Ｓ１０２）。ここでは、例えば、図３（ａ）に示すように、メイン波形表示エリア２１０のズームボックス２１２が、Ａ１またはＡ２方向にドラッグされた、あるいは、ズーム波形表示エリア２２０がＢ１またはＢ２方向にドラッグされたものとする。この場合、ズーム波形表示エリア２２０の拡大波形とズームボックス２１２が連動してドラッグ方向に移動することになる。
【００２０】
ドラッグ操作が終了してユーザが画面から指を離し、タッチ状態が解除されると（Ｓ１０３：Ｙｅｓ）、表示制御部１３１は、図３（ｂ）に示すような微移動ボタン２２１を表示する（Ｓ１０４）。微移動ボタン２２１は、ドラッグ操作の対象となった表示アイテムについて、ドラッグ操作による移動方向に関する微調整指示を受け付けるためのアイコンである。
【００２１】
ここでは、時間軸方向のドラッグ操作であったため、拡大波形を時間軸方向に微移動させるための、左方向微移動ボタン２２１ａ、右方向微移動ボタン２２１ｂが表示されている。微移動ボタン２２１は、波形に重畳して表示させることができる。微移動ボタン２２１は、ユーザのタッチ状態の解除に合わせて自動的に表示されるため、ユーザは、表示させるための特別な操作が不要となる。
【００２２】
また、表示制御部１３１は、微移動ボタン２２１の表示とともに、タイマカウントを開始する（Ｓ１０５）。タイマで計時する時間はあらかじめ定めてあり、例えば、２秒とすることができる。計時する時間をユーザが任意に設定できるようにしてもよい。
【００２３】
微移動ボタン２２１の表示中に、ユーザにより画面内がタッチ（タップ操作）され（Ｓ１０６：Ｙｅｓ）、そのタッチ対象が、微移動ボタン２２１であった場合には（Ｓ１０７：Ｙｅｓ）、直前のドラッグ操作の対象となった表示アイテムを、タッチされた微移動ボタン２２１が示す方向に微移動表示する（Ｓ１０８）。
【００２４】
例えば、図３（ｂ）において、右方向微移動ボタン２２１ｂがタッチされた場合には、拡大波形が右方向に微移動表示される。ただし、拡大波形の右方向を表示させるものとして、拡大波形を相対的に左方向に微移動表示するようにしてもよい。
【００２５】
微移動量は、例えば、１表示分解能分、１測定データ分等とすることができる。１回の微移動ボタン２２１の操作による微移動量は、ユーザが任意に設定できるようにしてもよいし、表示解像度等に応じて可変としてもよい。
【００２６】
そして、タイマカウントをリセットし、再カウントを開始する（Ｓ１０５）。これにより、微移動ボタン２２１の操作を任意の回数受け付けることができる。
【００２７】
表示制御部１３１は、画面内のタッチを受け付けない状態が（Ｓ１０６：Ｎｏ）、タイムアウトするまで継続した場合は（Ｓ１１０：Ｙｅｓ）、微移動ボタン２２１を消去する（Ｓ１１１）。これにより、微移動ボタン２２１が波形の観測、解析の妨げになることを防止できるため、視認性、操作性が向上する。
【００２８】
また、微移動ボタン２２１以外のタッチを受け付けた場合（Ｓ１０６：Ｙｅｓ、Ｓ１０７：Ｎｏ）は、タイマを停止し（Ｓ１０９）、即座に微移動ボタン２２１を消去する（Ｓ１１１）。すなわち、ユーザは、微移動が不要な場合は、タイムアウトを待ってもよいし、微移動ボタン２２１以外をタッチしてもよい。
【００２９】
なお、微移動の方向は時間軸方向に限られず、測定値等を示す縦軸方向であってもよい。例えば、図４（ａ）に示すように、波形表示エリア２３０に表示された波形をＣ１方向あるいはＣ２方向の上下方向に移動させた場合には、図４（ｂ）に示すように、下方向微移動ボタン２３１ａ、上方向微移動ボタン２３１ｂを表示して、上下方向の微移動操作を受け付けるようにする。これは、例えば、複数チャネルの波形を同時に縦に並べて表示している場合等に有効である。
【００３０】
また、微移動の対象となる表示アイテムは、波形やズームボックス２１２に限られない。例えば、図５（ａ）に示すように、波形表示エリア２３０の時間軸上を移動するカーソル２３２をＤ１方向あるいはＤ２方向の左右方向に移動させた場合に、図５（ｂ）に示すように、左方向微移動ボタン２３３ａ、右方向微移動ボタン２３３ｂを表示して、左右方向の微移動操作を受け付けるようにすることができる。
【００３１】
カーソルは、波形表示エリア２３０に複数表示させることができるが、微移動の対象とするカーソルは、直前にドラッグ操作で移動させたカーソルとすることができる。
【００３２】
同様に、図６（ａ）に示すように、波形表示エリア２３０の縦軸上を移動するカーソル２３４をＥ１方向あるいはＥ２方向の上下方向に移動させた場合には、図６（ｂ）に示すように、下方向微移動ボタン２３５ａ、上方向微移動ボタン２３５ｂを表示して、直前に移動させたカーソル２３４の上下方向の微移動操作を受け付けるようにすることができる。
【符号の説明】
【００３３】
１００…波形表示装置
１１０…データ入力部
１２０…波形メモリ
１３０…制御部
１３１…表示制御部
１４０…タッチパネル
１４１…表示部
１４２…操作受付部
２１０…メイン波形表示エリア
２１２…ズームボックス
２２０…ズーム波形表示エリア
２２１…微移動ボタン
２３０…波形表示エリア
【図１】
2018205172.tif 000003
【図２】
2018205172.tif 000004
【図３】
2018205172.tif 000005
【図４】
2018205172.tif 000006
【図５】
2018205172.tif 000007
【図６】
2018205172.tif 000008
【図７】
2018205172.tif 000009